(57)【要約】【課題】バネを使用せず、バネにより押圧操作されるラッチ棒を使用せず、ラッチ棒に代わるフックプレートを使用し、袖扉が閉鎖すると同時にフックプレートの自重を利用して袖扉をあるべき位置に自動的にロックできる袖扉連動シャッター用の袖扉の自動ロックを提供。【解決手段】建築用シャッターに併設する袖扉であって、該袖扉にシャッターガイド用のガイドレールとくぐり戸とが設けられ、かつ袖扉はそのヒンジで軸支されて水平方向に回動自在に枢着され、常時閉鎖するように付勢力が付与されている袖扉連動シャッターにおいて、前記袖扉が回動後所定位置で停止する戸当たり５に設ける袖扉の自動ロック装置であり、前記戸当たりの内部に設けたピン６を中心にアンロック方向、ロック方向のいずれの方向にも自重で所定角度回転できるように構成され、先端部に前記袖扉の上面部と係合して戸当たりから出入りできる滑面を有した爪７ａを設けたフックプレート７と、前記爪と向合った袖扉２の上面部に、その爪と係合できるポケット９が掘設されている。【選択図】図１
2007217909.tif 000002
【特許請求の範囲】
【請求項１】
建築用シャッターに併設する袖扉であって、該袖扉にシャッターガイド用のガイドレールとくぐり戸とが設けられ、かつ袖扉はそのヒンジで軸支されて水平方向に回動自在に枢着され、常時閉鎖するように付勢力が付与されている袖扉連動シャッターにおいて、前記袖扉が回動後所定位置で停止する戸当たりに設ける袖扉の自動ロック装置であり、
前記戸当たりの内部に設けたピンを中心にアンロック方向、ロック方向のいずれの方向にも自重で所定角度回転できるように構成され、先端部に前記袖扉の上面部と係合して戸当たりから出入りできる滑面を有した爪を設けたフックプレートと、前記爪と向合った袖扉の上面部に、その爪と係合できるポケットが掘設されていることを特徴とする袖扉の自動ロック装置。
【請求項２】
建築用シャッターに併設する袖扉であって、袖扉にシャッターガイド用のガイドレールとくぐり戸が設けられ、かつ袖扉はそのヒンジで水平方向に回動自在に枢着され、常時閉鎖するように付勢力が付与されている袖扉連動シャッターにおいて、前記袖扉が水平方向に回動後所定位置で停止する戸当たりに設ける袖扉の自動ロック装置であり、
戸当たりの内部に設けたピンを中心にアンロック方向、ロック方向のいずれ方向にも自重で所定角度回転できるように構成され、先端部に前記袖扉の上面部と摺接して戸当たり溝から出入りできる爪を有するフックプレートと、前記爪と向合った袖扉の上面部に、前記爪が摺接する滑面を有し、かつその爪と係合できるポケットが掘設されていることを特徴とする袖扉の自動ロック装置。
【請求項３】
建築用シャッターに併設する袖扉であって、袖扉にシャッターガイド用のガイドレールとくぐり戸が設けられ、かつ袖扉はそのヒンジで水平方向に回動自在に枢着され、常時閉鎖するように付勢力が付与されている袖扉連動シャッターにおいて、袖扉が水平方向に回動後、所定位置で停止する戸当たりに設ける袖扉の自動ロック装置であり、
戸当たりの内部に設けた固定ガイドを中心に鉛直方向に移動できるように構成され、先端部に前記袖扉の上面部と摺接して戸当たりから出入りできる滑面を有した爪を設けたフックプレートと、前記爪と向合った袖扉の上面部に、前記滑面を有した爪と接する滑面を有し、かつその爪と係合できるポケットが掘設されていることを特徴とする袖扉の自動ロック装置。
【発明の詳細な説明】
【技術分野】
【０００１】
本発明は、特にビル、工場等の建築物の躯体開口部や地下通路等に防火区画を形成するために設けられる防火シャッターに併設する袖扉であって、シャッターと袖扉とを連係作動する袖扉連動シャッターにおける袖扉の自動ロックに関する。
【背景技術】
【０００２】
従来、袖扉を併用した防火シャッターは、そのほとんどが煙感知器の信号により自動的に袖扉が閉鎖した後、閉鎖確認信号によって防火シャッターの開閉機のブレーキを開放させ、シャッターカーテンをその自重により降下させる。その際、袖扉の戸先に設けられた案内溝（シャッターレール）を介して降下させるようになっているものが、一般的であった（例えば、特許文献１参照）。
【０００３】
しかし、袖扉が自動閉鎖する際、袖扉は、戸当たりに当たってバウンドしたり（跳ね返ること）、或いは防火区画内に生ずる風に煽られその風圧で袖扉が開いてしまう場合があった。
このように、袖扉がバウンドし、または風圧で動いてしまい、あるべき位置に存在しない時にシャッターカーテンが降下したような場合は、そのシャッターカーテンを案内する案内溝にシャッターカーテンを案内できず、最悪のときには、シャッターカーテンと案内溝が干渉して、シャッターが閉まらなくなるという事態を生じて問題があった（例えば、特許文献２参照）。
この問題は袖扉を使用する防火シャッターの信頼性を著しく損なうので、近年、その解決が強く求められている。
【０００４】
そのために従来考えられている策は、袖扉の戸当たり部にラッチ機構を仕込むものである。しかしそのラッチ機構は、主にラッチ棒をバネより押圧操作する仕組みが主である。このラッチ機構は、ラッチ棒がバネにより保持された状態で袖扉に仕込みまれていた。袖扉が自動閉鎖すると、ラッチ棒が金具受けに掛かり、袖扉が施錠される仕組みとなっている。しかし従来のものは、複雑な機構で部品数も多いので、防災製品としての機能上信頼性に欠けるという問題を有している。
【特許文献１】実開昭４８−８０５５号公報
【特許文献２】特開２００１−２２０９７３号公報
【発明の開示】
【発明が解決しようとする課題】
【０００５】
本発明は、上述した事情に鑑みてなされたもので、バネを使用せず、バネにより押圧作されるラッチ棒を使用せず、ラッチ棒に代わるフックプレートを使用し、袖扉が閉鎖すると同時にフックプレートの自重を利用して袖扉をあるべき位置に自動的にロックできる袖扉連動シャッター用の袖扉の自動ロックを提供することを目的とする。
【課題を解決するための手段】
【０００６】
上記の課題を解決するために、本発明の請求項１の発明は、次のとおりである。
本発明は、建築用シャッターに併設する袖扉であって、該袖扉にシャッターガイド用のガイドレールとくぐり戸とが設けられ、かつ袖扉はそのヒンジで軸支されて水平方向に回動自在に枢着され、常時閉鎖するように付勢力が付与されている袖扉連動シャッターにおいて、前記袖扉が回動後所定位置で停止する戸当たりに設ける袖扉の自動ロック装置であり、
前記戸当たりの内部に設けたピンを中心にアンロック方向、ロック方向のいずれの方向にも自重で所定角度回転できるように構成され、先端部に前記袖扉の上面部と係合して戸当たりから出入りできる滑面を有した爪を設けたフックプレートと、前記爪と向合った袖扉の上面部に、その爪と係合できるポケットが掘設されていることを特徴とする。
【０００７】
本発明の請求項２の発明は、次のとおりである。
建築用シャッターに併設する袖扉であって、袖扉にシャッターガイド用のガイドレールとくぐり戸が設けられ、かつ袖扉はそのヒンジで水平方向に回動自在に枢着され、常時閉鎖するように付勢力が付与されている袖扉連動シャッターにおいて、前記袖扉が水平方向に回動後所定位置で停止する戸当たりに設ける袖扉の自動ロック装置であり、
戸当たりの内部に設けたピンを中心にアンロック方向、ロック方向のいずれ方向にも自重で所定角度回転できるように構成され、先端部に前記袖扉の上面部と摺接して戸当たり溝から出入りできる爪を有するフックプレートと、前記爪と向合った袖扉の上面部に、前記爪が摺接する滑面を有し、かつその爪と係合できるポケットが掘設されていることを特徴とする袖扉の自動ロック装置。
【０００８】
本発明の請求項３の発明は、次のとおりである。
建築用シャッターに併設する袖扉であって、袖扉にシャッターガイド用のガイドレールとくぐり戸が設けられ、かつ袖扉はそのヒンジで水平方向に回動自在に枢着され、常時閉鎖するように付勢力が付与されている袖扉連動シャッターにおいて、袖扉が水平方向に回動後、所定位置で停止する戸当たりに設ける袖扉の自動ロック装置であり、
戸当たりの内部に設けた固定ガイドを中心に鉛直方向に移動できるように構成され、先端部に前記袖扉の上面部と摺接して戸当たりから出入りできる滑面を有した爪を設けたフックプレートと、前記爪と向合った袖扉の上面部に、前記滑面を有した爪と接する滑面を有しかつその爪と係合できるポケットが掘設されていることを特徴とする袖扉の自動ロック装置。
【発明の効果】
【０００９】
本発明によれば、防火シャッターと袖扉とを併設して防火区画を形成する袖扉連動シャッターにおいて、従来問題となっていた袖扉に設けられたシャッターガイドレールとシャッターとの連動閉鎖時の干渉を、バネで押圧操作されるラッチ棒を使用せず、ラッチ棒に代わるフックプレートを使用し、袖扉が閉鎖すると同時にフックプレートの自重を利用して袖扉をあるべき位置に自動的にロックすることができるようになる。
よって、袖扉が閉鎖位置にロックされた後、シャッターが下降するようになり、扉のバウンドや閉鎖後の風圧により袖扉が勝手に開かないように、簡易なロック機構で確実に安定した作動ができるようになる効果がある。
【発明を実施するための最良の形態】
【００１０】
本発明は、防火シャッターと避難用袖扉とが自動閉鎖する際、該袖扉を停止させるべき位置に設ける戸当たりに設置する袖扉の自動ロック機構である。この自動ロック機構は、袖扉の戸当たりに次のように設置されている。図１は、袖扉連動シャッターの構成の一例を示した見取り図（説明図）であり、図２は同シャッターの閉鎖時の平面図である。図３と図４は、本発明の自動ロック機構の１例を示す挙動説明図である。
【００１１】
以下に、本発明自動ロック機構の一実施形態を図３と４について説明する。図に示す袖扉連動シャッターは、防火シャッター１と袖扉２とを併設して防火区画を形成するもので、袖扉２にくぐり戸３が設けられ、その袖扉の戸先にシャッターガイド用のガイドレール４が設けられている。また袖扉２はそのヒンジにより回動自在に枢着され、常時閉鎖するように付勢力が付与されている。ここで云う防火シャッターは、防火シャッターと防煙シャッターの両方を含んでいる。
【００１２】
袖扉２は、図１に示すように平常時は開放されており（常時開放式）、人の通行に支障がないよう壁面に格納されている。この状態で、電磁レリーズ等の扉用自動閉鎖装置によって、袖扉２の開放状態を保持するようになっている。
【００１３】
非常時（火災発生時）には、図示しない煙感知器等の火災信号が扉用自動閉鎖装置に入力され、袖扉２を開放状態で保持している電磁レリーズ等の保持力が消失する。
【００１４】
袖扉２は自動的に閉鎖するヒンジにより常時閉鎖力が付与されているため、保持力が消失した時点で閉鎖方向に作動し、袖扉２が所定の閉鎖位置にきたとき天井側に設けられた位置規制部材たる戸当たり５に規制されて停止する。
なお図示例は、袖扉２が水平方向に９０度回動するタイプであるが、袖扉が１８０度回動するものにも本発明が適用できる。さらに図示例は、シャッター１の片側に袖扉２を設けているが、シャッター両側に袖扉を設ける場合がある（図示略）。
【００１５】
図３のように戸当たり５は、袖扉２が水平方向に回動後所定位置で停止するように、天井から下方に向かって突出する規制部５ａを有している。
またこの戸当たり５は、次のようなフックプレート７を有するロック機構を備えている。すなわちフックプレート７は、戸当たりの内部に設けたピン６を中心に、図において鉛直方向に回転する。すなわちアンロック方向、ロック方向のいずれの方向にも自重で所定角度回転できるように構成されている。８はフックプレート用ストッパーである。フックプレート７は、先端に前記袖扉の上面部と係合して、戸当たり５から出入りする傾斜した滑面７ｂを有した爪７ａを設けている。
そして、前記フックプレート７と向合った袖扉の上面部には、図にも示す如く、爪７ａと係合できるポケット９が掘設されている。
【００１６】
上述の第１実施態様の自動ロック機構は、ストッパー８により、フックプレート７は、当初（平常時）は、図３（Ａ）のように、滑面７ｂを袖扉２に向けた状態で、爪７ａが戸当たり５から突き出た状態に係止されている。
非常時、袖扉２の自動閉鎖に伴い、図３（Ａ）に示す如くフックプレート７の先端の滑面７ｂが袖扉２の端部に接すると、ピン６を中心に回動可能なフックプレート７は押上げられ、アンロック方向に回転する。そして、図３（Ｂ）に示す如く爪７ａが袖扉の上面端部を乗越してから、爪７ａは、ロック方向に回転して、図３（Ｃ）のように袖扉２のポケット９に降下することとなる。
その結果、袖扉２の上部に掘設されているポケット９と爪７ａとが係合して、袖扉２が自動ロックされることとなる。
このため袖扉２の閉鎖時に生ずる扉のバウンドや閉鎖後の火災時の風圧などによって、扉が勝手に開いてしまう不具合が解消できることとなる。
【００１７】
なお、上述したポケット９に爪７ａが係合したロック装置を解除するには、図４（Ｄ）〜（Ｆ）のように、袖扉２を戸当たり側に押した状態で、フックプレート７を上部方向に持上げ、袖扉を手動にて開ける。また、フックプレート７と連動させたレバーもしくはワイヤー（図略）の操作により、フックプレート７をアンロックするのである。
【００１８】
次に、本発明の自動ロック機構の第２実施態様を説明する。
第２実施態様のロック機構は、図５に示す通りで、次のようなフックプレート１２を有する。すなわちフックプレート１２は、戸当たりの内部に設けたピン１１を中心に、図において鉛直方向に回転する。すなわちアンロック方向、ロック方向のいずれの方向にも自重で所定角度回転できるように構成されている。１３はフックプレート用ストッパーである。フックプレート１２は、先端に前記袖扉の上面部と係合して、戸当たり５から出入りする爪１２ａを設けている。
そして、前記フックプレートと向合った袖扉２の上面部には、図にも示す如く、爪１２ａと係合できるポケット９が掘設されている点は、第１の態様と同じであるが、フックプレート１２の回動方向は逆である。なお、袖扉の上端部に前記爪部が摺接する傾斜状滑面１４を設けている。
【００１９】
上述の第２施態様の自動ロック機構は、ストッパー１３により、フックプレート１２は、当初（平常時）は、図５（Ａ）のように、爪１２ａを袖扉に向けた状態で戸当たり５から突き出た状態に係止されている。
非常時、袖扉２の自動閉鎖に伴い、図５（Ｂ）に示す如くフックプレート１２の先端の爪１２ａが袖扉２の端部滑面１４に接すると、ピン１１で支持されているフックプレート１２は、アンロック方向に回転する。そして、爪１２ａが袖扉の上面を乗越すと、図５（Ｃ）に示す如く爪１２ａが自重にてロック方向に回転してポケット９に降下することとなる。
その結果、袖扉２の上部に掘設されているポケット９と爪１２ａとが係合して、袖扉２が自動ロックされることとなる。
このため袖扉の閉鎖時に生ずる扉のバウンドや閉鎖後の風圧などによって、扉が勝手に開いてしまう不具合が解消できることとなる。
【００２０】
本例の場合も、袖扉ロック装置を解除する場合は、図６（Ｄ）〜（Ｆ）のように、袖扉2を戸当たり側に押した状態でフックプレート１２を持上げ、袖扉を手動にて開ける。また、フックプレート１２と連動させたレバーもしくはワイヤー（図略）の操作により、フックプレート７をアンロックすることが可能である。
【００２１】
次に本発明の自動ロック機構の第３実施態様を図７により説明する。
この実施態様のロック機構は、次のようなフックプレート２１を備えている。図７（Ａ）〜（Ｃ）のように、戸当たり５の内部に、符号２０で示す長穴内を遊動する固定ガイドを介して鉛直方向に摺動するフックプレート２１を設けたものである。このフックプレート２１は、先端部に戸当たり５から出入して、前記袖扉２の上部と係合する爪２１ａと、傾斜状滑面２１ｂを設けている。また、袖扉２の上端部に前記爪２１ａが摺接する傾斜状滑面２２を設けた点で、前記の２つの実施態様と異なるものである。
【００２２】
第３実施態様の自動ロック機構は、袖扉の自動閉鎖に伴い、図７（Ａ）に示す如くフックプレート２１の先端の爪２１ａが袖扉２の上端部の傾斜状滑面２２に接触すると、固定ガイド２０で支持されているフックプレート２１は上方（垂直方向）に押上げられる。そして、爪２１ａが袖扉の上端部を乗越した後、図７（Ｃ）に示す如く自重にてポケット９内に降下することとなる。その結果、袖扉の上部に掘設されているポケット９に爪２１ａが係合して袖扉２がロックされることとなる。
本例の場合も、ロック装置を解除する場合は、図８（Ｄ）〜（Ｆ）のように、袖扉２を戸当たり側に押した状態でフックプレート２１を持上げ、袖扉２を手動にて開ける。また、フックプレート２１と連動させたレバーもしくはワイヤー（図略）の操作により、フックプレート７をアンロックすることが可能である。
【００２３】
このように本発明は、バネを使用せず、バネにより押圧操作されるラッチ棒を使用せず、ラッチ棒に代わる自重で動くフックプレートを使用し、袖扉が閉鎖すると同時にフックプレートの自重を利用して袖扉を自動的にロックできる袖扉連動シャッター用の袖扉の自動ロックを提供できる。
【００２４】
なお図９（Ａ）のように、フックプレート１２の爪１２ａとポケット９とが掛かりあう係合面の角度は図の例では、ほぼ直角である。しかし、図９（Ｂ）のように、角度をつけることができるので、ロック時の固定が安定する。さらに、滑面１４の傾斜角はほぼ４５度に設定されているがほぼ３０度程度の緩い角にすると良い。
【図面の簡単な説明】
【００２５】
【図１】袖扉連動シャッターの構成の一例を示した見取り図（説明図）である。
【図２】同閉鎖時の平面図を示す。
【図３】Ａ〜Ｃは第１実施例のロック時の挙動説明図である。
【図４】Ｄ〜Ｆは同上解除時の挙動説明図である。
【図５】Ａ〜Ｃは第２実施例のロック時の挙動説明図である。
【図６】Ｄ〜Ｆは同上解除時の挙動説明図である。
【図７】Ａ〜Ｃは第３実施例のロック時の挙動説明図である。
【図８】Ｄ〜Ｆは同上解除時の挙動説明図である。
【図９】フックプレートとポケットの係合状態を示す説明図である。
【符号の説明】
【００２６】
１  防火シャッター
２  袖扉
３  くぐり戸
４  ガイドレール
５  戸当たり
５ａ  規制突起
６、１１  ピン
７、１２、２１  フックプレート
７ａ、１２ａ，２１ａ  爪
８、１３  フックプレート規制ストッパ
１４  滑り面
９  ポケット
２０  固定ガイド
【図１】
2007217909.tif 000003
【図２】
2007217909.tif 000004
【図３】
2007217909.tif 000005
【図４】
2007217909.tif 000006
【図５】
2007217909.tif 000007
【図６】
2007217909.tif 000008
【図７】
2007217909.tif 000009
【図８】
2007217909.tif 000010
【図９】
2007217909.tif 000011